【手続補正書】
【提出日】平成25年2月27日(2013.2.27)
【手続補正１】
【補正対象書類名】明細書
【補正対象項目名】０００６
【補正方法】変更
【補正の内容】
【０００６】
液体サンプルは、２つのウイッキング表面（灯心のように毛管現象により流体を吸い上げる作用を有する表面）によって画定された間隙内に支持することができる。前記照射工程は、前記液体サンプルの支持表面を通して実施することができる。あるいは、照射工程は、前記液体サンプルの不支持表面（支持されていない表面）を通して実施することができる。検出工程は、前記液体サンプルの支持表面を通して実施することができる。あるいは、検出工程は、前記液体サンプルの不支持表面を通して実施することができる。
【手続補正２】
【補正対象書類名】明細書
【補正対象項目名】００１５
【補正方法】変更
【補正の内容】
【００１５】
好ましい実施形態では、液体サンプルは、着脱自在のカバーを備えた毛管内に懸垂させることができる。あるいは、液体サンプルは、大気圧によって毛管内に懸垂させることができる。あるいは、液体サンプルは、毛管の管孔に流体連結された（hydraulically connected）（流体を連通することができるように連結された）、密封された上側表面によって毛管内に懸垂させてもよい。この密封された上側表面は、ピストンの表面とすることができる。あるいは又、液体サンプルは、ポンピング作用によって毛管内に懸垂させてもよい。この方法には、更に、該装置と共に毛管材を保管しておく工程と、サンプルを毛管内に懸垂する前記懸垂工程の前に、該保管された毛管材から前記毛管を切り取る工程を含めることができる。あるいは、この方法には、前記懸垂工程の前に、一定長の毛管材から前記毛管を切り取る工程を含めることができる。その場合、この切り取り工程と懸垂工程の両方を同じ使用者が実施することとする。毛管を用意する工程では、ガラス製の毛管を用意することができる。あるいは、プラスチック製の毛管を用意することができる。サンプルを導入する工程では、約５０μｌ（マイクロリットル）未満の液体を毛管内へ導入することができる。あるいは、サンプルを導入する工程では、約１０μｌ未満の液体を毛管内へ導入することができ、あるいは、約１μｌ未満の液体を毛管内へ導入することもできる。更に、この方法には、毛管を処分する工程を含めることができ、以後の各サンプルに対して各々新しい毛管を用いて、サンプルを毛管内へ導入し、毛管内へ懸垂させ、照射し、検出し、毛管を処分する前記各工程を反復することができる。処分工程では、毛管とサンプルを同時に処分してもよく、あるいは、毛管を処分する工程の前に毛管からサンプルを抜き取る工程を含めてもよい。
【手続補正３】
【補正対象書類名】明細書
【補正対象項目名】００１８
【補正方法】変更
【補正の内容】
【００１８】
好ましい実施形態では、この装置に一体の毛管切断機を設けることができる。毛管切断機は、毛管が光源の光出力軸線に沿って毛管ホルダー内に位置づけされている間に毛管を切断することができるように配置される。この毛管切断機には、毛管ホルダー（「管ホルダー」又は単に「ホルダー」とも称する）に取り付けられた固定ブレードを設けることができる。ホルダーは、装置から取り外すことができる着脱自在の毛管キャリヤーの一部とすることができる。毛管ホルダーは、方形の断面を有する毛管を保持する働きをする構成とすることができる。あるいは、毛管ホルダーは、円形の断面を有する毛管を保持する働きをする構成とすることもできる。又、この装置には、ホルダーによって保持された毛管を備えたものとすることもできる。この毛管は、ガラス製であってもよく、あるいは、プラスチック製としてもよい。又、この毛管は、一端が密封されたものであってもよく、両端を密封されたものとすることもできる。管ホルダーは、約５０μｌ未満の液体を収容する管を保持する働きをする構成とすることができ、あるいは、約１０μｌ未満の液体を収容する管を保持する働きをする構成とすることもでき、あるいは、約１μｌ未満の液体を収容する管を保持する働きをする構成とすることもできる。又、このホルダーは、約２ｍｍ未満の内径を有する管を保持する構造とし、かつ、該管を光源の光出力軸線内に保持することができるように適合することができ、該毛管の内径は、液体サンプルを懸垂するための手段を構成する。あるいは、この管ホルダーは、約０．５ｍｍ未満の内径を有する管を保持する構成とすることもできる。更に、この装置には、管をプロセスフロー（プロセス流体を流すための流路）に流体連結する（即ち、管とプロセスフローとの間に流体連通を設定する）ための１対の流体継手即ち流体コネクターを設けることができる。又、この装置には、管からの散乱光を光源の光出力軸線に対して（上記散乱光検出器とは異なる）別の角度に沿って受容するように位置づけされた少なくとも第２の散乱光検出器を設けることもできる。
【手続補正４】
【補正対象書類名】明細書
【補正対象項目名】００２２
【補正方法】変更
【補正の内容】
【００２２】
更に別の側面においては、本発明は、液体サンプル中の粒子の特性を測定するための装置であって、液体サンプルを保持するためにキャビティと、該キャビティに流体連結された密封された上側表面と、該キャビティを貫通するように向けられた照射軸線を有する光源と、該液体サンプルが前記キャビティ内に捕捉されているとき、前記光源の光出力軸線に対して所定の角度に方向づけされた第１検出軸線に沿って、液体サンプル中の粒子によって散乱された光を受容するように位置づけされた少なくとも１つの散乱光検出器とを含む粒子特性測定装置にある。好ましい実施形態では、前記キャビティは、管によって画定することができる。上記密封された上側表面は、着脱自在のカバーによって形成することができる。
【手続補正５】
【補正対象書類名】明細書
【補正対象項目名】００２７
【補正方法】変更
【補正の内容】
【００２７】
【図１】図１Ａ〜１Ｄは、１面又は２面光学レイアウトを有するいろいろな静的及び動的光散乱測定形態におけるサンプル液滴捕捉用光学部品の使用態様を例示する一連の説明図である。
【図２】図２は、多面光学レイアウトを有する動的光散乱測定形態におけるサンプル液滴捕捉用光学部品の使用態様を例示する説明図である。
【図３】図３Ａは、図１に示されたような光散乱測定形態に使用するためのホルダーの等角投影図である。図３Ｂは、入射ビームのクロスオーバー(交差点）を位置決めするためにＮＩＢＳを用いた図３Ａのホルダーの断面図である。図３Ｃは、図３Ａのホルダーの一部破除された図である。
【図４】図４は、慣用のキュベットホルダーに嵌合する全体寸法を例示したホルダーの３面からみた図である。
【図５】図５Ａは、毛管内に表面張力によって捕捉されたサンプルを示す図である。図５Ｂは、挟みつけて締めつけられた蓋を介して大気圧によって捕捉されたサンプルを示す図である。図５Ｃは、密封された蓋を介して大気圧によって捕捉されたサンプルを示す図である。図５Ｄは、サンプル液体の流路の一部として形成された毛管内に捕捉されたサンプルを示す図である。
【図６】図６は、毛管のための光学上の幾何学的形状を示す断面図である。
【図７】図７Ａは、図５Ｂに示されるようにされるようにサンプルを大気圧によって捕捉するために（毛管の頂端に取り付けられた）可撓性チューブを捕捉し密封するためのスロットを頂部に有する毛管キャリヤーの具体例を示す図である。図７Ｂは、毛管カッター４４を備えた毛管キャリヤーの具体例を示す図である。
【図８】図８は、慣用のキュベットホルダーに嵌合する全体寸法を例示した図７Ａの毛管キャリヤーの３面からみた図である。
【図９】図９Ａは、ピストンを備えた毛管内に捕捉された液体サンプルを示す図である。図９Ｂは、図９Ａの毛管の内部を示すためのカットアウェイ（破除）図である。
【手続補正６】
【補正対象書類名】明細書
【補正対象項目名】００３１
【補正方法】変更
【補正の内容】
【００３１】
図１Ｂの例では、光は、或る適切な、明確に画定された角度で光学表面の１つを透過して液滴１０に入射し、（やはり或る適切な角度で）光学表面を透過する前方散乱光１８Ｆ又は後方散乱光１８Ｂとして、あるいは、より高い角度で（典型的な例では入力ビーム１６に対して９０°であるが、それに限定されるものではない）液滴１０の側部を透過する側方散乱光１８Ｓとして検出される。図１Ｃの例では、光ビーム（以下、単に「光」又は「ビーム」とも称する）は、液滴１０の側部を通して入射し、上側光学表面と下側光学表面のいずれか一方又は両方を透過して、又は、液滴の側部を透過して検出される。
【手続補正７】
【補正対象書類名】明細書
【補正対象項目名】００３２
【補正方法】変更
【補正の内容】
【００３２】
ここに提案されたすべての実施例−図１Ａ〜１Ｄにおいて、すべての光ビーム（入射ビームと被検出ビーム）は、互いに明確に画定された角度を有するべきであり、中心波長λを有する疑似単色光とすべきである。ＤＬＳのためのＩＳＯ基準（ＩＳＯ ２２４１２）は、公表サイズ（粒子径）は、標準サンプルの実証値の＋／−２％とすべきであると規定している。キュミュラント分析は、標準基本還元（換算）（reduction）（冪級数による関数の近似計算、例えばテイラー還元）であり、それは、測定された（実測）量、相関関数glを下記の方程式（１）の右辺の指数級数に等式化するものである。
【手続補正８】
【補正対象書類名】明細書
【補正対象項目名】００４６
【補正方法】変更
【補正の内容】
【００４６】
毛管４０は、毛管キャリヤー４２によって所定位置に保持し（図７参照）、次いで装置内に位置づけすることができる。キャリヤー４２の寸法は、標準キュべットを使用する装置に用いることができるように標準キュべットの寸法に合わせてある。このような毛管キャリヤーの代表的な寸法は、図８に示されている。毛管をキャリヤー内に嵌めたままで所定の長さに切断するためのデバイス（毛管カッター）４４も提案されており、その一例が図７Ｂに示されている。毛管が所定位置に設定されたならば、図５に示されるようにサンプル液がピペットによって毛管の底部に注入される。この目的のためにキャリヤー４２のベース部に大きい穴が設けられている（図７参照）。測定が完了すると、サンプル液は、事後の分析のためにピペットによって毛管から抽出される。
【手続補正９】
【補正対象書類名】図面
【補正対象項目名】図４
【補正方法】変更
【補正の内容】
【図４】
2012519839.tif 000001
【手続補正１０】
【補正対象書類名】図面
【補正対象項目名】図７
【補正方法】変更
【補正の内容】
【図７】
2012519839.tif 000002
【手続補正１１】
【補正対象書類名】図面
【補正対象項目名】図８
【補正方法】変更
【補正の内容】
【図８】
2012519839.tif 000003